(57)【要約】【課題】特に長時間の視聴を行う場合において低消費電力とし、かつ快適な視聴を可能とする表示装置を提供すること。【解決手段】画像信号に応じて画像を形成する画像形成部である空間光変調装置２２Ｒ、２２Ｇ、２２Ｂと、画像形成部で形成される画像の表示状態を調節する表示調節部と、を有し、表示調節部は、画像の明るさの基準となる基準値を調節し、かつ、表示時間が経過するに従い、基準値を最大レベルから、最大レベルより低い所定レベルにまで漸次低下させることで、表示状態を一定の状態へ収束させる。【選択図】図２
2008026349.tif 000002
【特許請求の範囲】
【請求項１】
画像信号に応じて画像を形成する画像形成部と、
前記画像形成部で形成される前記画像の表示状態を調節する表示調節部と、を有し、
前記表示調節部は、前記画像を表示する表示時間が経過するに従い、前記表示状態を一定の状態へ収束させることを特徴とする表示装置。
【請求項２】
前記表示調節部は、前記画像の明るさの基準となる基準値を調節し、かつ、前記表示時間が経過するに従い、前記基準値を最大レベルから、前記最大レベルより低い所定レベルにまで漸次低下させることを特徴とする請求項１に記載の表示装置。
【請求項３】
前記表示調節部は、前記画像の明るさの基準となる基準値を前記画像信号に応じて調節し、かつ、前記表示時間が経過するに従い、前記基準値の変動幅を最大レベルから、前記最大レベルより低い所定レベルにまで漸次低下させることを特徴とする請求項１に記載の表示装置。
【請求項４】
前記画像形成部へ光を供給する光源部を有し、
前記表示調節部は、前記光源部からの光の強度を制御することを特徴とする請求項２又は３に記載の表示装置。
【請求項５】
前記表示調節部は、前記画像のコントラストを調節し、かつ、前記表示時間が経過するに従い、前記コントラストを最大レベルから、前記最大レベルより低い所定レベルにまで漸次低下させることを特徴とする請求項１に記載の表示装置。
【請求項６】
前記表示調節部は、前記画像のエッジ強調の度合いを調節し、かつ、前記表示時間が経過するに従い、前記エッジ強調の度合いを最大レベルから、前記最大レベルより小さい所定レベルにまで漸次低下させることを特徴とする請求項１に記載の表示装置。
【請求項７】
前記表示時間を検出する表示時間検出部を有し、
前記表示調節部は、前記表示時間検出部により検出された前記表示時間に応じて前記表示状態を調節することを特徴とする請求項１〜６のいずれか一項に記載の表示装置。
【請求項８】
前記表示時間検出部は、
前記表示時間の検出開始時を検知する検知部と、
前記表示時間を計測する計測部と、を備え、
前記計測部は、前記検知部により前記検出開始時が検知されることにより前記表示時間の計測を開始することを特徴とする請求項７に記載の表示装置。
【発明の詳細な説明】
【技術分野】
【０００１】
本発明は、表示装置、特に、画像信号に応じて形成された画像を表示する表示装置の技術に関する。
【背景技術】
【０００２】
表示装置は、画像を表示するために用いる光の強度を高くするほど明るく鮮明な画像を表示できる一方、消費電力を低減することが困難となる。例えば、バックライトからの光を用いて画像を形成する液晶表示装置の場合、バックライトの輝度を高めることにより明るく鮮明な画像を表示できる一方、高消費電力となる。従来、バッテリを用いて駆動される携帯型の表示装置において、バッテリを用いた長時間駆動を可能とするためにバックライトの輝度の制御を行う技術が提案されている（例えば、特許文献１参照）。画像を表示するための光の強度を適宜制御することにより、表示装置の消費電力を低減することが可能となる。
【０００３】
【特許文献１】特開２００５−２１０７０５号公報
【発明の開示】
【発明が解決しようとする課題】
【０００４】
特許文献１にて提案される技術では、特定番組が放送されている間においてバックライトの輝度を低下させる制御を行うことで、特定番組以外の番組の放送中において視聴に適したバックライトの輝度を確保し、かつバッテリによる駆動時間を長くする。ユーザが関心を持つ番組の放送時間に駆動電力の消費を集中させることは、視聴が比較的短時間である場合に効果的である。これに対して、長時間の視聴を目的とする表示装置についてかかる技術を適用する場合、視聴に適した画像の明るさを長時間に渡り確保することにより、消費電力の効果的な低減が困難となる。また、視聴の最中に光の強度を低下させる制御を行うこととすれば、画像の明るさの急な変化が違和感を与え、快適な視聴を妨げることになる。さらに、長時間に渡り光の強度が高い状態を維持することは、明るく鮮明な画像を表示し続けられる一方、視聴を継続することによる疲労感を与えることもあり得る。このように、従来の技術によると、低消費電力とし、かつ快適な視聴を可能とすることが困難な場合があるため問題である。本発明は、上述の問題に鑑みてなされたものであり、特に長時間の視聴を行う場合において低消費電力とし、かつ快適な視聴を可能とする表示装置を提供することを目的とする。
【課題を解決するための手段】
【０００５】
上述した課題を解決し、目的を達成するために、本発明によれば、画像信号に応じて画像を形成する画像形成部と、画像形成部で形成される画像の表示状態を調節する表示調節部と、を有し、表示調節部は、画像を表示する表示時間が経過するに従い、表示状態を一定の状態へ収束させることを特徴とする表示装置を提供することができる。
【０００６】
表示調節部により調節する表示状態とは、画像全体の明るさ、画像に適応させて画像の明るさを変動させる変動幅、コントラスト、及びエッジ強調の度合いのうちの少なくとも１つを含むものとする。表示時間とは、表示装置の電源を入れた時点からの経過時間である場合のみならず、表示するコンテンツが変更してからの経過時間である場合等も含む。画像の表示状態を収束させる一定の状態とは、画像を十分鑑賞可能なある状態、例えば、画像が見にくいと判断される直前の状態である。表示調節部は、画像の表示を開始した時点では、鮮明で見易い画像を表示するための調節を行う。その後、表示時間が経過するとともに、表示調節部は、一定の状態にまで徐々に表示状態を変化させる。表示調節部により表示状態を変化させることで、表示装置は、高電力駆動から徐々に低電力駆動へと変化する。長時間の視聴であれば、視聴者によって認識されにくい程度少しずつ表示状態を変化させることが可能である。また長時間であれば少しずつ表示状態を変化させる場合であっても効果的に消費電力を低減することができる。そのため視聴の快適さを維持したまま消費電力を低減させることができる。さらに、鮮明な状態から見にくいと判断される直前の状態にまで表示状態を変化させることにより、視聴を継続することによる疲労感を低減させることも可能である。これにより、特に長時間の視聴を行う場合において低消費電力とし、かつ快適な視聴を可能とする表示装置を得られる。
【０００７】
また、本発明の好ましい態様としては、表示調節部は、画像の明るさの基準となる基準値を調節し、かつ、表示時間が経過するに従い、基準値を最大レベルから、最大レベルより低い所定レベルにまで漸次低下させることが望ましい。画像の明るさの基準値を調節することで、画像全体の明るさを調節することができる。所定レベルとは、例えば、画像が見にくいと判断される直前にて必要な明るさである。画像の表示を開始させる時点で基準値を最大レベルとすることで、明るい画像を認識させることができる。その後、視聴者によって認識されにくい程度少しずつ明るさの基準値を低下させることで、視聴の快適さを維持したまま消費電力を低減させることができる。また、明るさの基準値を徐々に低下させることで、視聴を継続することによる疲労感を低減させることも可能である。これにより、低消費電力とし、かつ快適な視聴が可能となる。
【０００８】
また、本発明の好ましい態様としては、表示調節部は、画像の明るさの基準となる基準値を画像信号に応じて調節し、かつ、表示時間が経過するに従い、基準値の変動幅を最大レベルから、最大レベルより低い所定レベルにまで漸次低下させることが望ましい。画像の明るさの基準値を画像信号に応じて調節することで、画像に適応するように画像の明るさを調節することができる。画像の内容に応じて画像の明るさの基準値を調節することで、広範なダイナミックレンジによる表示が可能となる。所定レベルとは、例えば、画像が見にくいと判断される直前にて必要な基準値の変動幅である。表示調節部は、明るさの変動幅を最大レベルとする表示状態から、見にくいと判断される直前にて必要な最小レベルの変動幅とする表示状態にまで徐々に変化させる。また、基準値の変動幅を徐々に低下させることで、視聴を継続することによる疲労感を低減させることも可能である。これにより、低消費電力とし、かつ快適な視聴が可能となる。
【０００９】
また、本発明の好ましい態様としては、画像形成部へ光を供給する光源部を有し、表示調節部は、光源部からの光の強度を制御することが望ましい。これにより、光源部からの光を用いて画像を形成する構成において、画像の明るさの基準値を調節することができる。
【００１０】
また、本発明の好ましい態様としては、表示調節部は、画像のコントラストを調節し、かつ、表示時間が経過するに従い、コントラストを最大レベルから、最大レベルより低い所定レベルにまで漸次低下させることが望ましい。所定レベルとは、例えば、画像が見にくいと判断される直前にて必要なコントラストである。表示調節部は、コントラストを最大レベルとする表示状態から、見にくいと判断される直前にて必要な最小レベルとする表示状態にまで徐々に変化させる。また、視聴を継続することによる疲労感を低減させることも可能である。これにより、低消費電力とし、かつ快適な視聴が可能となる。
【００１１】
また、本発明の好ましい態様としては、表示調節部は、画像のエッジ強調の度合いを調節し、かつ、表示時間が経過するに従い、エッジ強調の度合いを最大レベルから、最大レベルより小さい所定レベルにまで漸次低下させることが望ましい。エッジ強調は、像の輪郭を強調するための処理である。所定レベルとは、例えば、画像が見にくいと判断される直前にて必要なエッジ強調の度合いである。表示調節部は、エッジ強調の度合いを最大レベルとする表示状態から、見にくいと判断される直前にて必要な最小レベルとする表示状態にまで徐々に変化させる。また、視聴を継続することによる疲労感を低減させることも可能である。これにより、低消費電力とし、かつ快適な視聴が可能となる。
【００１２】
また、本発明の好ましい態様としては、表示時間を検出する表示時間検出部を有し、表示調節部は、表示時間検出部により検出された表示時間に応じて表示状態を調節することが望ましい。これにより、表示時間に応じた表示状態の調節を行うことができる。
【００１３】
また、本発明の好ましい態様としては、表示時間検出部は、表示時間の検出開始時を検知する検知部と、表示時間を計測する計測部と、を備え、計測部は、検知部により検出開始時が検知されることにより表示時間の計測を開始することが望ましい。表示時間の検出開始時とは、例えば、表示装置の電源を入れることにより表示を開始する時点、放送番組の切り換わりやチャンネルの切り換え等により表示が切り換わる時点等である。これにより、表示時間の検出開始時から経過した表示時間に応じて画像の表示状態を調節することができる。
【発明を実施するための最良の形態】
【００１４】
以下に図面を参照して、本発明の実施例を詳細に説明する。
【実施例】
【００１５】
図１は、本発明の実施例に係る表示装置１０の概略構成を示す。表示装置１０は、スクリーン１４の一方の面に光を供給し、スクリーン１４の他方の面から出射される光を観察することで画像を鑑賞する、いわゆるリアプロジェクタである。光学エンジン部１１は、画像信号に応じて変調された光を供給する。
【００１６】
図２は、光学エンジン部１１及び投写レンズ１２の構成を示す。固体光源である赤色（Ｒ）光用ＬＥＤ２０Ｒは、Ｒ光を供給する光源部である。Ｒ光用ＬＥＤ２０ＲからのＲ光は、コリメータレンズ２１で平行化された後、Ｒ光用空間光変調装置２２Ｒへ入射する。Ｒ光用空間光変調装置２２Ｒは、Ｒ光を画像信号に応じて変調する透過型の液晶表示装置である。Ｒ光用空間光変調装置２２Ｒで変調されたＲ光は、色合成光学系であるクロスダイクロイックプリズム２３へ入射する。
【００１７】
固体光源である緑色（Ｇ）光用ＬＥＤ２０Ｇは、Ｇ光を供給する光源部である。Ｇ光用ＬＥＤ２０ＧからのＧ光は、コリメータレンズ２１で平行化された後、Ｇ光用空間光変調装置２２Ｇへ入射する。Ｇ光用空間光変調装置２２Ｇは、Ｇ光を画像信号に応じて変調する透過型の液晶表示装置である。Ｇ光用空間光変調装置２２Ｇで変調されたＧ光は、Ｒ光とは異なる側からクロスダイクロイックプリズム２３へ入射する。
【００１８】
固体光源である青色（Ｂ）光用ＬＥＤ２０Ｂは、Ｂ光を供給する光源部である。Ｂ光用ＬＥＤ２０ＢからのＢ光は、コリメータレンズ２１で平行化された後、Ｂ光用空間光変調装置２２Ｂへ入射する。Ｂ光用空間光変調装置２２Ｂは、Ｂ光を画像信号に応じて変調する透過型の液晶表示装置である。Ｂ光用空間光変調装置２２Ｂで変調されたＢ光は、Ｒ光、Ｇ光とは異なる側からクロスダイクロイックプリズム２３へ入射する。空間光変調装置２２Ｒ、２２Ｇ、２２Ｂは、画像信号に応じて画像を形成する画像形成部である。なお、光学エンジン部１１は、光束の強度分布を均一化させる均一化光学系、例えば、ロッドインテグレータやフライアイレンズを配置しても良い。
【００１９】
クロスダイクロイックプリズム２３は、互いに略直交するように配置された２つのダイクロイック膜２４、２５を有する。第１ダイクロイック膜２４は、Ｒ光を反射し、Ｇ光及びＢ光を透過させる。第２ダイクロイック膜２５は、Ｂ光を反射し、Ｒ光及びＧ光を透過させる。クロスダイクロイックプリズム２３は、それぞれ異なる側から入射したＲ光、Ｇ光及びＢ光を合成し、投写レンズ１２の方向へ出射させる。投写レンズ１２は、クロスダイクロイックプリズム２３で合成された光を投写する。
【００２０】
図１に戻って、投写レンズ１２からの光は、ミラー部１３へ入射する。ミラー部１３は、筐体１５の背面部に設けられている。ミラー部１３は、反射により投写レンズ１２からの光をスクリーン１４の方向へ折り曲げる。ミラー部１３は、略平坦な平面形状を有する。ミラー部１３は、平行平板上に反射膜を形成することにより構成できる。反射膜としては、高反射性の部材の層、例えばアルミニウム等の金属部材の層や誘電体多層膜等を用いることができる。
【００２１】
スクリーン１４は、筐体１５のうち観察者側の面である正面に形成されている。スクリーン１４は、画像信号に応じた光を透過させる透過型スクリーンである。スクリーン１４は、例えば、光を観察者側へ角度変換するフレネルレンズや、光を拡散させるレンズアレイ、光拡散性を備える拡散板（いずれも不図示。）等を有する。スクリーン１４を透過した光は、観察者側にて拡散する。
【００２２】
図３は、表示装置１０を駆動するためのブロック構成を示す。ＡＤコンバータ３０は、外部機器等によりアナログ信号として入力された画像信号をディジタル信号へ切り換える。ディジタル信号処理回路であるＤＳＰ（１）３１は、ディジタル信号へ変換された画像信号から、像の明るさを制御するための明るさパラメータを抽出する。ディジタル信号処理回路であるＤＳＰ（２）３２は、画像形成部である空間光変調装置２２Ｒ、２２Ｇ、２２Ｂで形成される画像の表示状態、例えば画像全体の明るさを調節する表示調節部である。
【００２３】
図中破線により示す表示時間検出部４０は、画像を表示する表示時間を検出する。表示時間検出部４０は、検知部４１及び計測部４２を備える。検知部４１は、表示時間の検出開始時を検知する。計測部４２は、表示時間を計測する。計測部４２は、検知部４１により検出開始時が検知されることにより表示時間の計測を開始する。ＤＳＰ（２）３２は、表示時間検出部４０により検出された表示時間に応じて表示状態を調節する。ＤＳＰ（１）３１は、ＤＳＰ（２）３２からの出力に応じて調節された明るさパラメータを出力する。
【００２４】
また、ＤＳＰ（２）３２は、ＤＳＰ（１）３１からの明るさパラメータを、パルス幅変調（Pulse  Width  Modulation、PWM）のｄｕｔｙ比へ変換する。明るさパラメータからｄｕｔｙ比への変換には、例えばＬＵＴ（look  up  table）を用いることができる。ＰＷＭ信号生成部３６は、ＤＳＰ（２）３２からの出力に基づいてパルス幅が変調されたＰＷＭ信号を生成する。ＬＥＤ駆動部３７は、ＰＷＭ信号生成部３６からのＰＷＭ信号に応じて、ＬＥＤ２０Ｒ、２０Ｇ、２０Ｂを駆動する。ＬＥＤ２０Ｒ、２０Ｇ、２０Ｂは、ＰＷＭ信号に応じて変調された光を供給する。ＤＳＰ（２）３２は、明るさパラメータを調節することで、ＬＥＤ２０Ｒ、２０Ｇ、２０Ｂからの光の強度を制御する。
【００２５】
ディジタル信号処理回路であるＤＳＰ（３）３３は、ＤＳＰ（１）３１からの明るさパラメータに基づき、画像信号の階調範囲の伸張を行う。階調範囲の伸張を行うことで、空間光変調装置２２Ｒ、２２Ｇ、２２Ｂのダイナミックレンジを最大限に活用した高コントラストな画像を表示することが可能となる。ＤＡコンバータ３４は、ＤＳＰ（３）３３で伸張処理が施された画像信号をアナログ信号に変換する。空間光変調駆動部３５は、アナログ信号に変換された画像信号に応じて、空間光変調装置２２Ｒ、２２Ｇ、２２Ｂを駆動する。空間光変調装置２２Ｒ、２２Ｇ、２２Ｂは、画像信号に応じてＬＥＤ２０Ｒ、２０Ｇ、２０Ｂからの光を変調する。ＤＳＰ（２）３２により明るさパラメータを調節することで、ＤＳＰ（２）３２は、空間光変調装置２２Ｒ、２２Ｇ、２２Ｂの駆動を制御する。
【００２６】
図４は、表示調節部であるＤＳＰ（２）３２による画像の明るさの調節について説明するものである。ＤＳＰ（２）３２は、画像の明るさの基準となる基準値Ｉを調節することにより、画像全体の明るさの調節を行う。ＤＳＰ（２）３２は、表示時間ｔに応じて画像の明るさの基準値Ｉを調節する。例えば、画像の表示を開始した時点（ｔ＝０）において、ＤＳＰ（２）３２は、画像の明るさの基準値Ｉを最大レベルＩ０とする調節を行う。画像の表示を開始させる時点において、画像の明るさの基準値Ｉを最大レベルＩ０とすることで、明るく鮮明な画像を得ることができる。
【００２７】
その後、ＤＳＰ（２）３２は、表示時間ｔが経過するに従い、画像の明るさの基準値Ｉを最大レベルＩ０から、最大レベルＩ０より低い所定レベルＩ１にまで漸次低下させる。画像の明るさの所定レベルＩ１とは、画像を十分鑑賞可能な明るさであって、画像が見にくいと判断される直前の明るさである。表示時間ｔと基準値Ｉの変化量との関係は、視聴者によって画像全体の明るさが低下していることを認識させない程度と設定することが望ましい。長時間の視聴であるから、視聴者によって認識されにくい程度少しずつ基準値Ｉを変化させることは十分可能である。
【００２８】
基準値Ｉが所定レベルＩ１にまで到達した後は、基準値Ｉは所定レベルＩ１で維持される。これにより、画像を十分鑑賞可能とし、かつ低電力駆動を維持できる。ＤＳＰ（２）３２は、このようにして表示時間ｔに応じて定められた基準値Ｉを出力する。ＤＳＰ（１）３１は、ＤＳＰ（２）３２から出力された基準値Ｉに基づいて明るさパラメータを補正する。
【００２９】
ＤＳＰ（２）３２により表示状態を変化させることにより、表示装置１０は、高電力駆動から徐々に低電力駆動へと変化する。長時間の視聴であれば、視聴者によって認識されにくい程度少しずつ表示状態を変化させることが可能である。また長時間の視聴であれば、少しずつ表示状態を変化させる場合であっても効果的に消費電力を低減することができる。そのため視聴の快適さを維持したまま表示状態を変化させることができる。さらに、鮮明な状態から見にくいと判断される直前の状態にまで表示状態を変化させることにより、視聴を継続することによる疲労感を低減させることも可能である。これにより、特に長時間の視聴を行う場合において低消費電力とし、かつ快適な視聴ができるという効果を奏する。なお、ＤＳＰ（２）３２は、ＬＥＤ２０Ｒ、２０Ｇ、２０Ｂ及び空間光変調装置２２Ｒ、２２Ｇ、２２Ｂの駆動の制御により画像の明るさを調節する場合に限られない。ＤＳＰ（２）３２は、ＬＥＤ２０Ｒ、２０Ｇ、２０Ｂ及び空間光変調装置２２Ｒ、２２Ｇ、２２Ｂのいずれか一方の駆動の制御により画像の明るさを調節することとしても良い。
【００３０】
表示時間検出部４０は、表示装置１０の電源が入れられた時点を表示時間の検出開始時とする。検知部４１は、表示装置１０の電源が入れられたことを検知する。計測部４２は、表示装置１０の電源が入れられたことが検知部４１により検知されることにより表示時間の計測を開始する。これにより、表示装置１０の電源が入れられることにより画像の表示を開始させた時点からの表示時間に応じて画像の明るさを調節することができる。
【００３１】
さらに、表示時間検出部４０は、表示装置１０により表示するコンテンツの変更により表示時間をリセットさせ、コンテンツが変更した時点を表示時間の検出開始時とする。検知部４１は、コンテンツが変更したことを検知する。これにより、コンテンツを変更させた時点からの表示時間に応じて画像の明るさを調節することができる。また、コンテンツを変更させた当初において画像の明るさが足りないと認識される事態を回避し、コンテンツが変更した後においても快適な視聴を継続させることができる。
【００３２】
コンテンツの変更とは、例えば放送番組の切り換わりによるもの、チャンネルの切り換えによるもの、放送番組とコマーシャルとの切り換わりによるもの等である。コンテンツの変更時を検知部４１により検知する手法として、例えば、画像信号の変化のパターンや音声の変化のパターンから識別する方法、チャンネルの切り換えを検知する方法を用いることができる。また、同じ放送番組内であって画像が大幅に切り換わる時点を検出開始時としても良い。検知部４１は、これらのうち少なくとも１つを検知可能な構成とすることができる。
【００３３】
表示時間検出部４０は、検知部４１として人感センサを用い、表示装置１０の周囲に人がいることを検知した時点を表示時間の検出開始時としても良い。人感センサとしては、例えば赤外線センサを用いることができる。これにより、表示されているコンテンツに関わらず視聴者が表示装置１０の前で視聴を開始した時点からの表示時間に応じて画像の明るさを調節することができる。また、視聴を開始した当初において画像の明るさが足りないと認識される事態を回避することができる。この場合、表示装置１０の周囲から人が立ち去ったことを検知部４１により検知した時点で画像の明るさを大幅に低下させる調節を行うこととしても良い。これにより、さらに消費電力を低減することが可能となる。
【００３４】
表示調節部であるＤＳＰ（２）３２は、画像全体の明るさ以外の他の表示状態を調節することとしても良い。ＤＳＰ（２）３２は、画像全体の明るさ、画像に適応させて画像の明るさを変動させる変動幅、コントラスト、及びエッジ強調の度合いのうちの少なくとも１つを調節するものであれば良い。表示装置１０は、ＬＥＤ２０Ｒ、２０Ｇ、２０ＢのＰＷＭ変調、及び空間光変調装置２２Ｒ、２２Ｇ、２２Ｂの制御により、画像に適応させて画像の明るさを変動させることができる。画像に適応させた明るさの調節とは、全体として暗い画像を表示するときに暗くし、明るい画像を表示するときに明るくすることである。ＤＳＰ（２）３２は、画像の明るさの基準値を画像信号に応じて調節することで、画像の明るさを変動させる。
【００３５】
ＤＳＰ（２）３２は、明るさパラメータを調節することで、画像の明るさの基準値の変動幅を制御する。例えば、画像の表示を開始した時点において、ＤＳＰ（２）３２は、基準値の変動幅を最大レベルとする調節を行う。画像の表示を開始させる時点において、画像の明るさの変動を最大レベルにまで強調させることで、広範なダイナミックレンジによる表示が可能となる。
【００３６】
その後、ＤＳＰ（２）３２は、表示時間が経過するに従い、基準値の変動幅を最大レベルから、最大レベルより低い所定レベルにまで漸次低下させる。基準値の変動幅の所定レベルとは、画像を十分鑑賞可能な変動幅であって、画像が見にくいと判断される直前の変動幅である。基準値の変動幅を漸次低下させることで低消費電力とし、かつ視聴を継続することによる疲労感を低減させることができる。よって、低消費電力とし、かつ快適な視聴が可能となる。
【００３７】
コントラストは、画像信号の階調を調節することにより行う。例えば、暗い部分については階調を低くさせ、明るい部分については階調を高くさせるように、画像信号を変換する。例えば、画像の表示を開始した時点において、ＤＳＰ（２）３２は、コントラストを最大レベルとするような調節を行う。コントラストを最大レベルとすることで、画像の表示を開始させる時点において、高コントラストな画像を表示することが可能となる。
【００３８】
その後、ＤＳＰ（２）３２は、表示時間が経過するに従い、コントラストを最大レベルから、最大レベルより低い所定レベルにまで漸次低下させる。コントラストの所定レベルとは、画像を十分鑑賞可能であって、かつ画像が見にくいと判断される直前のコントラストである。コントラストを漸次低下させることで低消費電力とし、かつ視聴を継続することによる疲労感を低減させることができる。よって、低消費電力とし、かつ快適な視聴が可能となる。
【００３９】
エッジ強調の度合いの調節は、画像信号から像の輪郭部分を抽出し、輪郭部分における階調差を調節することにより行う。像の輪郭部分であるか否かは、隣接する画素における階調差が所定の閾値を上回るか否かにより判断することができる。エッジ強調の度合いは、輪郭部分においてシフトさせる階調を調節することにより制御できる。例えば、画像の表示を開始した時点において、ＤＳＰ（２）３２は、エッジ強調の度合いを最大レベルとする調節を行う。エッジ強調を最大レベルにまで強調させることで、画像の表示を開始させる時点において、輪郭を強調させた鮮明な画像を表示することが可能となる。
【００４０】
その後、ＤＳＰ（２）３２は、表示時間が経過するに従い、エッジ強調の度合いを最大レベルから、最大レベルより低い所定レベルにまで漸次低下させる。エッジ強調の度合いの所定レベルとは、画像を十分鑑賞可能であって、画像が見にくいと判断される直前の度合いである。エッジ強調の度合いを漸次低下させることで低消費電力とし、かつ視聴を継続することによる疲労感を低減させることができる。よって、低消費電力とし、かつ快適な視聴が可能となる。
【００４１】
ＤＳＰ（２）３２は、以上に説明した表示状態のうち少なくとも１つを一定の状態へ収束させる調整を行う。ＤＳＰ（２）３２は、画像全体の明るさ、画像の明るさの変動幅、コントラスト、及びエッジ強調の度合いのうちいずれか、又は全てを組み合わせて調節することとしても良い。これらの表示状態を一定の状態へ収束させるような制御を行うことで、特に長期間の視聴を行う場合において低消費電力とし、かつ快適な視聴を行うことができる。
【００４２】
表示装置１０は、リアプロジェクタに限られない。表示装置１０は、スクリーンに光を供給し、スクリーンで反射する光を観察することで画像を鑑賞するフロント投写型のプロジェクタであっても良い。光源部は、ＬＥＤを用いる場合に限られず、光量を調節可能であれば他の固体光源やランプ等を用いることとしても良い。空間光変調装置としては透過型液晶表示装置を用いる場合に限らず反射型液晶表示装置、ＤＭＤ（Digital  Micromirror  Device）、ＧＬＶ（Grating  Light  Valve）等を用いても良い。
【００４３】
表示装置１０は、液晶表示装置を用いる直視型のディスプレイであっても良い。直視型ディスプレイの場合、液晶パネルへ光を供給する光源部であるバックライトの制御により画像全体の明るさを調節できる。表示装置１０は、光源部からの光を変調することで画像を形成する構成に限られず、自発光素子、例えばＬＥＤや有機ＥＬを備える画像形成部を用いて画像を形成する構成としても良い。
【産業上の利用可能性】
【００４４】
以上のように、本発明に係る表示装置は、長時間に渡る視聴に用いるものとして適している。
【図面の簡単な説明】
【００４５】
【図１】本発明の実施例に係る表示装置の概略構成を示す図。
【図２】光学エンジン部及び投写レンズの構成を示す図。
【図３】表示装置を駆動するためのブロック構成を示す図。
【図４】ＤＳＰ（２）による画像の明るさの調節について説明する図。
【符号の説明】
【００４６】
１０  表示装置、１１  光学エンジン部、１２  投写レンズ、１３  ミラー部、１４  スクリーン、１５  筐体、２０Ｒ  Ｒ光用ＬＥＤ、２０Ｇ  Ｇ光用ＬＥＤ、２０Ｂ  Ｂ光用ＬＥＤ、２１  コリメータレンズ、２２Ｒ  Ｒ光用空間光変調装置、２２Ｇ  Ｇ光用空間光変調装置、２２Ｂ  Ｂ光用空間光変調装置、２３  クロスダイクロイックプリズム、２４  第１ダイクロイック膜、２５  第２ダイクロイック膜、３０  ＡＤコンバータ、３１  ＤＳＰ（１）、３２  ＤＳＰ（２）、３３  ＤＳＰ（３）、３４  ＤＡコンバータ、３５  空間光変調駆動部、３６  ＰＷＭ信号生成部、３７  ＬＥＤ駆動部、４０  表示時間検出部、４１  検知部、４２  計測部
【図１】
2008026349.tif 000003
【図２】
2008026349.tif 000004
【図３】
2008026349.tif 000005
【図４】
2008026349.tif 000006